(57)【特許請求の範囲】
【請求項１】
画像を表示する画像表示パネルを有する画像表示ユニットと、該画像表示ユニットを覆う外装部材と、を備える画像表示装置において、
前記画像表示ユニットに把手を設けると共に、前記外装部材の前記把手に対応する部位に開口部を設け、
前記開口部は、スピーカーネットにより覆われる、ことを特徴とする画像表示装置。
【請求項２】
前記把手は、前記外装部材の内側に配置され、
前記開口部は、前記画像表示ユニットの前面側及び背面側にそれぞれ設けられる、ことを特徴とする請求項１に記載の画像表示装置。
【請求項３】
前記把手は、前記画像表示ユニットの厚み方向の重心の位置近傍に配置される、ことを特徴とする請求項１又は２に記載の画像表示装置。
【請求項４】
前記把手は、前記画像表示ユニットの両側上辺部に設けられ、前記画像表示ユニットのシャーシと一体に形成される、ことを特徴とする請求項１乃至３のいずれか一項に記載の画像表示装置。
【発明の詳細な説明】
【技術分野】
【０００１】
本発明は、例えば、液晶画像表示パネル、プラズマ画像表示パネル、ＥＬ画像表示パネル等の画像表示パネルを有する画像表示ユニットと、該画像表示ユニットを覆う外装部材と、を備える画像表示装置に関する。
【背景技術】
【０００２】
従来のこの種の画像表示装置では、搬入、設置、移動のため、背面側に把手を設けてあるものが多い。
【０００３】
例えば、図１６に示す画像表示装置１０１のリアカバー１０２には、指先を差し入れる差込み式の把手１０３，１０４が設けられ、図１７に示す画像表示装置１０１のリアカバー１０２には、グリップ式の把手１０５，１０６が設けられている。
【０００４】
差込み式の把手１０３，１０４、グリップ式の把手１０５，１０６は、いずれもリアカバー１０２に直接取り付けられるか、内部の画像表示ユニットのシャーシにリアカバー１０２を介して取り付けられることが多い。
【０００５】
また、画像表示装置の内部の金属製シールド板に把手を嵌め込んで該金属製シールド板を画像表示ユニットの背面に直接固定するように構成した、スライド収納式の把手も提案されている（特許文献１）。
【０００６】
一方、画像表示装置の製造工程や輸送工程等においては、図１８及び図１９に示すように、画像表示ユニット１０７のシャーシ１０８の背面側に、アタッチメント１１８が装着されることがある。
【０００７】
このアタッチメント１１８は、画像表示ユニット１０７の物流時や組立てラインでの画像表示ユニット１０７の取り扱い時に不図示の搬送装置で画像表示ユニット１０７をチャッキングするためのものである。
【０００８】
シャーシ１０８は、メインシャーシ１０９，１１０、縦フレーム１１１，１１２、横フレーム１１３，１１４等を組み合わせて構成されている。シャーシ１０８の背面側には、電源１１５、駆動回路基板１１６、制御基板１１７等の電気ユニットが搭載される。
【０００９】
アタッチメント１１８は、ボルト１２３，１２４，１２５，１２６により、電源１１５、駆動回路基板１１６、制御基板１１７等の電気ユニットを避けた位置で縦フレーム１１１，１１２に固定される。
【００１０】
アタッチメント１１８には、把手１１９，１２０，１２１，１２２が設けられており、搬送装置で把手１１９，１２０，１２１，１２２をチャッキングして画像表示ユニット１０７の搬入・設置・移動を行う。或いは、作業員が把手１１９，１２０，１２１，１２２を握って画像表示ユニット１０７の搬入・設置・移動を行う。
【特許文献１】特開２００４−３３６４３５号公報
【発明の開示】
【発明が解決しようとする課題】
【００１１】
しかし、図１８及び図１９に示す上記従来技術では、画像表示ユニット１０７にアタッチメント１１８を装着する作業が必要になるため、組立て工程数が増して製造コストを低くする妨げになる。
【００１２】
一方、アタッチメント１１８は、画像表示装置１０１の製品状態で取り外さずに残すことで、把手１１９，１２０，１２１，１２２を画像表示装置１０１の搬入、設置、移動のために使用することができる。
【００１３】
この場合、図１６、図１７及び上記特許文献１のように、画像表示装置の背面側に把手を設けなくてもよいことになる。
【００１４】
しかし、画像表示装置１０１の製品状態でアタッチメント１１８を取り付けたままにすると、画像表示装置１０１の外形寸法が大きくなってしまうという問題が生じる。
【００１５】
そこで、本発明は、組立て工程を簡略化することができると共に、外形寸法が大きくなるのを回避することができる把手を備える画像表示装置を提供することを目的とする。
【課題を解決するための手段】
【００１６】
上記目的を達成するために、本発明の画像表示装置は、画像を表示する画像表示パネルを有する画像表示ユニットと、該画像表示ユニットを覆う外装部材と、を備える画像表示装置において、前記画像表示ユニットに把手を設けると共に、前記外装部材の前記把手に対応する部位に開口部を設け、前記開口部は、スピーカーネットにより覆われる、ことを特徴とする。
【発明の効果】
【００１７】
本発明によれば、組立て工程を簡略化することができると共に、外形寸法が大きくなるのを回避することができる把手を備える画像表示装置を提供することができる。
【発明を実施するための最良の形態】
【００１８】
以下、本発明の実施形態を図面を参照して説明する。
【００１９】
（第１の実施形態）
図１は本発明の第１の実施形態である画像表示装置を前面側から見た斜視図、図２は図１の画像表示装置を背面側から見た斜視図、図３は図１の画像表示装置からスピーカーネットを取り外した状態を示す斜視図である。
【００２０】
図１〜図３に示すように、本実施形態の画像表示装置１は、画像表示ユニット２の前面側がベゼル（外装部材）２４により覆われ、画像表示ユニット２の背面側がリアカバー（外装部材）２５によって覆われている。画像表示ユニット２の背面側には、不図示の電源、駆動回路基板、制御基板等の電気ユニットが搭載されている。
【００２１】
図４は画像表示ユニット２を背面側から見た斜視図、図５は画像表示ユニット２を組立てる前の分解斜視図、図６は画像表示ユニット２を図４の矢印Ａ方向から見た図、図７は画像表示ユニット２を図４の矢印Ｂ方向から見た図である。
【００２２】
図４〜図７に示すように、画像表示ユニット２を構成するシャーシ３は、平板状のメインシャーシ４，５、箱形状の縦フレーム６，７、箱形状の横フレーム８，９等をネジ止めやリベット加締等により締結して構成される。シャーシ３の背面側には、不図示の電源、駆動回路基板、制御基板等の電気ユニットが搭載される。
【００２３】
画像表示ユニット２の左右両側部の上部には、それぞれ左右対称形状の把手１０，１１が取り付けられている。
【００２４】
把手１０，１１は、例えば、板金等のプレス成形品とされている。把手１０は、断面略Ｃ字形状の把持部１２と、把持部１２から画像表示ユニット２側（図４の右側）に延びる延設部１６，１７とを備える。把手１１は、断面略Ｃ字形状の把持部１４と、把持部１４から画像表示ユニット２側（図４の左側）に延びる延設部１８，１９とを備える。
【００２５】
把手１０，１１は、延設部１６，１７及び延設部１８，１９がシャーシ３のメインシャーシ５及び横フレーム８にネジ２０，２１，２２，２３により締結される。
【００２６】
図８は、図６の画像表示ユニット２にベゼル２４、リアカバー２５、スピーカーネット２６，２７を取り付けた状態を示す図である。図９は、図７の画像表示ユニット２にベゼル２４、リアカバー２５を取り付けた状態を示す図である。
【００２７】
本実施形態では、把手１０，１１は、製造工程や輸送工程等において搬送装置で画像表示ユニット２をチャッキングするために使用されると共に、画像表示装置１の製品状態においても搬入、設置、移動のためにユーザや作業者等により使用される。画像表示ユニット２にベゼル２４、リアカバー２５等の外装部材を取り付けた後は、把手１０，１１は、ベゼル２４、リアカバー２５等の外装部材の内側、即ち、画像表示装置１の外形寸法より内側に収まるように配置される。
【００２８】
ベゼル２４の把手１０，１１に対応する部位には開口部２８，２９が設けられ、リアカバー２５の把手１０，１１に対応する部位には開口部３０，３１が設けられる。開口部２８，３０から把手１０を臨むことができ、開口２９，３１から把手１１を臨むことができる。
【００２９】
開口部２８，３０は、該開口部２８，３０から把手１０の把持部１２の外端部３２および延設部１６，１７が突出しないように形成される。同様に、開口部２９，３１は、該開口部２９，３１から把手１１の把持部１４の外端部３３および延設部１８，１９が突出しないように形成される。
【００３０】
また、図７に示すように、画像表示ユニット２の画像表示面側には、例えばプラズマ画像表示パネルのように２枚のガラス板がシャーシ３に接着されている。画像表示ユニット２の重心Ｇ１は、画像表示ユニット２の厚み方向で画像表示面側寄りに、シャーシ３の厚み方向中央よりも前面側に位置する。
【００３１】
画像表示装置１は、画像表示ユニット２の重量が大きな割合を占めるため、図９に示すように、画像表示装置１の重心Ｇ２の位置は画像表示ユニット２の重心Ｇ１とほぼ同一となっている。
【００３２】
ここで、本実施形態では、把手１０，１１は、画像表示装置１の厚み方向の重心Ｇ２の位置近傍において、画像表示装置１の厚み方向中央よりも前面側に設けてある。
【００３３】
また、前述したように、デザイン性の観点からベゼル２４の開口部２８，２９は、通常はスピーカーネット２６，２７により覆われる。図１０はスピーカーネット２７の取り付け部を示す断面図、図１１は図８からスピーカーネット２７を取り外した状態の断面図である。
【００３４】
スピーカーネット２６，２７は共に同一構成であるため、スピーカーネット２７についてのみ説明する。スピーカーネット２７は、図３に示すように、スピーカー３５，３６，３７及びベゼル２４の開口部２９を覆うためのもので、樹脂成形品等の枠体３４を備えている。枠体３４のスピーカー３５，３６，３７を臨む位置には開口部３８が形成され、枠体３４の表面には繊維等のネット部材３９が貼られている。
【００３５】
図１０に示すように、枠体３４には複数の弾性爪４０が形成されており、ベゼル２４には複数の係止孔４１が形成されている。スピーカーネット２７は、複数の弾性爪４０が複数の係止孔４１に係止されることでベゼル２４に保持される。
【００３６】
そして、画像表示装置１の搬入、設置、移動の際には、図１１に示すように、例えば二人の作業者が、画像表示装置１の前後の任意の開口２８，２９，３０，３１から手を差し入れて把手１０，１１を握ることが可能となる。
【００３７】
つまり、二人の作業者共に、利き腕（例えば右手）で把手１０，１１を握ることが出来るので、画像表示装置１の搬入、設置、移動の際に力が入りやすく、安定して作業を行なうことができる。なお、画像表示装置１の前面側の開口２８，２９から手を差し入れる際には、複数の弾性爪４０の弾性力に抗してスピーカーネット２６あるいはスピーカーネット２７を取り外す。
【００３８】
以上説明したように、本実施形態では、画像表示ユニット２にベゼル２４やリアカバー２５等の外装部材を取り付けていない状態では、製造や輸送等の工程において、搬送装置で画像表示ユニット２をチャッキングするために把手１０，１１を使用することができる。また、画像表示ユニット２にベゼル２４やリアカバー２５等の外装部材を取り付けた状態、すなわち、画像表示装置１の製品状態では、ユーザや作業者等が把手１０，１１を握って画像表示装置１を搬入、設置、移動する作業を行なうことができる。
【００３９】
これにより、従来のように、製造工程等で画像表示ユニット２をチャッキングするためのアタッチメントを画像表示ユニット２に装着する必要がなくなり、組立て工程を簡略化することができる。
【００４０】
また、把手１０，１１は、画像表示ユニット２にベゼル２４、リアカバー２５等の外装部材を取り付けた状態においては、画像表示装置１の外形寸法より内側に収まるように配置されるので、画像表示装置１の外形寸法が大きくなるのを回避することができる。
【００４１】
更に、把手１０，１１は、画像表示装置１の厚み方向の重心Ｇ２の位置近傍において、画像表示装置１の厚み方向中央よりも前面側に設けられているので、把手１０，１１を持って搬入、設置、移動等を行なう際の重量バランスが良く、安定した作業が可能となる。
【００４２】
更に、リアカバー２５を取り外した場合でも、画像表示ユニット２に設けた把手１０、１１を使用することができるので、工場等での出荷検査時や市場でのメンテナンス時に、画像表示装置１を容易に移動させることができる。
【００４３】
更に、画像表示装置１を壁掛けや壁寄せで設置する場合においても、画像表示装置１の前面側から把手１０，１１を握ることができるので、画像表示装置１を壁に取り付けたり壁から取り外したりする際の作業性を向上させることができる。
【００４４】
（第２の実施形態）
次に、図１２及び図１３を参照して、本発明の第２の実施形態である画像表示装置について説明する。
【００４５】
図１２は、画像表示ユニット２にベゼル２４、リアカバー２５を取り付けた状態での把手部分の部分断面図である。図１３は、画像表示ユニット２にベゼル２４、リアカバー２５を取り付けた状態でのベゼル２４とリアカバー２５との接合部分の部分断面図である。なお、上記第１の実施形態と重複する部分については各図に同一符号を付してその説明を省略する。
【００４６】
本実施形態の画像表示装置１は、図１２に示すように、画像表示ユニット２の左右両側の上辺部にそれぞれ把手４２，４３を設けている。
【００４７】
把手４２，４３は、横フレーム８の左右両側の２箇所の部分を上方に延設することにより形成され、前面側の内端部が画像表示装置１の左右方向の内側へ向けて延設されてメインシャーシ５に対してネジ４４，４５により締結される。これにより、画像表示ユニット２あるいは画像表示装置１の重量を支えることが出来るように把手４２，４３の剛性を上げることができる。なお、画像表示ユニット２の左右両側に設けた把手４２，４３は一つにつながっていてもよい。
【００４８】
また、図１３に示すように、リアカバー２５の周囲のフランジ部４６は、ベゼル２４に形成された複数のボス４７に複数のネジ４８を介して固定され、これにより、ベゼル２４とリアカバー２５とが接合される。
【００４９】
リアカバー２５のフランジ部４６の把手４２，４３を臨む位置には、開口部４９，５０が設けられている。把手４２，４３は、画像表示装置１の前面側がベゼル２４に覆われている。そして、作業者等は、リアカバー２５の開口部４９，５０から指先を差し入れる等して把手４２，４３を握ることができる。その他の構成及び作用効果は、上記第１の実施形態と同様である。
【００５０】
（第３の実施形態）
次に、図１４及び図１５を参照して、本発明の第３の実施形態である画像表示装置について説明する。
【００５１】
図１４は画像表示ユニット２を背面側から見た斜視図、図１５は図１４の矢印Ｃ方向から見た図である。なお、上記第１の実施形態と重複する部分については各図に同一符号を付してその説明を省略する。
【００５２】
本実施形態の画像表示装置は、図１４及び図１５に示すように、把手５１，５２が画像表示ユニット２のシャーシ３の横フレーム８からそれぞれ左右方向の外側に向けて一体に延設されている。
【００５３】
横フレーム８は、例えば板金のプレス成形品とされている。横フレーム８の背面側の両端部には、それぞれ延設部５３が外側へ向けて延設され、延設部５３は２箇所の曲げ部を経て断面略Ｃ字形状の把手５１，５２と一体にプレス成形される。
【００５４】
把手５１の前面側の内端部には延設部５６が画像表示装置の左右方向の内側へ向けて延設されて、該延設部５６がメインシャーシ５に対してネジ５７により締結される。これにより、画像表示ユニット２あるいは画像表示装置の重量を支えることが出来るように把手５１，５２の剛性を上げることができる。その他の構成及び作用効果は、上記第１の実施形態と同様である。
【００５５】
なお、本発明は、上記各実施形態に例示したものに限定されるものではなく、本発明の要旨を逸脱しない範囲において適宜変更可能である。
【図面の簡単な説明】
【００５６】
【図１】本発明の第１の実施形態である画像表示装置を前面側から見た斜視図である。
【図２】図１の画像表示装置を背面側から見た斜視図である。
【図３】図１の画像表示装置からスピーカーネットを取り外した状態を示す斜視図である。
【図４】画像表示ユニットを背面側から見た斜視図である。
【図５】画像表示ユニットの分解斜視図である。
【図６】画像表示ユニットを図４の矢印Ａ方向から見た図である。
【図７】画像表示ユニットを図４の矢印Ｂ方向から見た図である。
【図８】図６の画像表示ユニットにベゼル、リアカバー、スピーカーネットを取り付けた状態を示す図である。
【図９】図７の画像表示ユニットにベゼル、リアカバーを取り付けた状態を示す図である。
【図１０】スピーカーネットの取り付け部を示す断面図である。
【図１１】図８からスピーカーネットを取り外した状態を示す断面図である。
【図１２】本発明の第２の実施形態である画像表示装置の画像表示ユニットにベゼル、リアカバーを取り付けた状態での把手部分の部分断面図である。
【図１３】本発明の第２の実施形態である画像表示装置の画像表示ユニットにベゼル、リアカバーを取り付けた状態でのベゼルとリアカバーとの接合部分の部分断面図である。
【図１４】本発明の第３の実施形態である画像表示装置の画像表示ユニットを背面側から見た斜視図である。
【図１５】図１４の矢印Ｃ方向から見た図である。
【図１６】従来の画像表示装置を背面側から見た斜視図である。
【図１７】従来の他の画像表示装置を背面側から見た斜視図である。
【図１８】従来の画像表示ユニットとアタッチメントとを説明するための斜視図である。
【図１９】従来の画像表示ユニットにアタッチメントを取り付けた状態を示す斜視図である。
【符号の説明】
【００５７】
１  画像表示装置
２  画像表示ユニット
３  シャーシ
８  横フレーム
１０，１１  把手
２４  ベゼル
２５  リアカバー
２６，２７  スピーカーネット
２８，２９  開口部
３０，３１  開口部
【図１】
0005020788.tif 000002
【図２】
0005020788.tif 000003
【図３】
0005020788.tif 000004
【図４】
0005020788.tif 000005
【図５】
0005020788.tif 000006
【図６】
0005020788.tif 000007
【図７】
0005020788.tif 000008
【図８】
0005020788.tif 000009
【図９】
0005020788.tif 000010
【図１０】
0005020788.tif 000011
【図１１】
0005020788.tif 000012
【図１２】
0005020788.tif 000013
【図１３】
0005020788.tif 000014
【図１４】
0005020788.tif 000015
【図１５】
0005020788.tif 000016
【図１６】
0005020788.tif 000017
【図１７】
0005020788.tif 000018
【図１８】
0005020788.tif 000019
【図１９】
0005020788.tif 000020